(57)【要約】【課題】  小便をし易く設置も容易で安価な簡易式トイレを提供すること。【解決手段】  自動車の車内で用いられる簡易式トイレであって、尿を受けるための便器２と、尿を貯留する尿貯留部３と、便器２内の尿を尿貯留部３に排出する尿排出流路４と、を具備する。尿貯留部３には、ペットボトル等の容器を利用することができる。また、便器２の縁部は、金属を樹脂で被覆してなるもので、自在に形状を変形することができるため、楽な姿勢で用を足すことができる。【選択図】        図１
2008036144.tif 000002
【特許請求の範囲】
【請求項１】
変形可能な縁部を有し、尿を受けるための便器と、
尿を貯留する尿貯留部と、
前記便器内の尿を前記尿貯留部に排出する尿排出流路と、
を具備することを特徴とする簡易式トイレ。
【請求項２】
自動車の車内で用いられる簡易式トイレであって、
尿を受けるための便器と、
尿を貯留する尿貯留部と、
前記便器内の尿を前記尿貯留部に排出する尿排出流路と、
前記便器を収納する便器収納部と、
を具備することを特徴とする簡易式トイレ。
【請求項３】
前記便器は、変形可能な縁部を有することを特徴とする請求項２記載の簡易式トイレ。
【請求項４】
前記縁部は、金属を樹脂で被覆してなることを特徴とする請求項１又は３記載の簡易式トイレ。
【請求項５】
前記便器を覆う蓋部を具備することを特徴とする請求項１ないし４のいずれかに記載の簡易式トイレ。
【請求項６】
前記蓋は、前記縁部との間を開閉可能な開閉手段を有することを特徴とする請求項１ないし５のいずれかに記載の簡易式トイレ。
【請求項７】
前記便器と前記尿排出流路とを脱着する脱着手段を具備することを特徴とする請求項１ないし６のいずれかに記載の簡易式トイレ。
【請求項８】
前記尿貯留部は複数の容器からなり、
前記尿排出流路は、便器で受けた尿を流す主流路と、複数の前記容器へ尿を流す容器の数と同数の副流路と、前記主流路と前記副流路のいずれかとを切り替えて接続する切替手段と、からなることを特徴とする請求項１ないし７のいずれかに記載の簡易式トイレ。
【請求項９】
前記収納部は、前記便器を巻き取る巻き取り手段を具備することを特徴とする請求項１ないし８のいずれかに記載の簡易式トイレ。
【発明の詳細な説明】
【技術分野】
【０００１】
この発明は、小便をし易く安価な簡易式トイレに関するものである。
【背景技術】
【０００２】
従来、自動車内などの便所の無いところで小便をする為の女性用携帯便器がある（例えば、特許文献１）。また、ビニール袋の口に受け口を設け、袋内部に尿凝固剤を入れて使用する携帯用尿処理袋もある。しかしながら、前者は使用するまでの設置に時間がかかり、速やかに使用出来ないという問題があった。また後者はビニール袋のため変形し易く、使用し難いという問題があった。
【０００３】
【特許文献１】特開平９−２０６２４０号公報（図１）
【発明の開示】
【発明が解決しようとする課題】
【０００４】
自動車内などで小便をする場合に以下のような問題がある。
（１）従来の使い捨て携帯用尿処理袋ではトイレが近い人が使うにはコストが掛かる。
（２）形状が一定である為自動車内で用を足しにくい。
（３）用を足すまでの設置に時間がかかる。
【０００５】
そこで本発明は、小便をし易く設置も容易で安価な簡易式トイレを提供することを目的とする。
【課題を解決するための手段】
【０００６】
本発明の簡易式トイレは、変形可能な縁部を有し、尿を受けるための便器と、尿を貯留する尿貯留部と、前記便器内の尿を前記尿貯留部に排出する尿排出流路と、を具備することを特徴とする。
【０００７】
また、本発明の簡易式トイレは、自動車の車内で用いられる簡易式トイレであって、尿を受けるための便器と、尿を貯留する尿貯留部と、前記便器内の尿を前記尿貯留部に排出する尿排出流路と、前記便器を収納する便器収納部と、を具備することを特徴とする。この場合、前記便器は、変形可能な縁部を有する方が好ましい。
【０００８】
また、変形可能な前記縁部は、金属を樹脂で被覆してなる方が好ましい。また、前記便器を覆う蓋を具備する方が好ましく、更に、前記蓋は、前記縁部との間を開閉可能な開閉手段を有する方が好ましい。また、前記便器と前記尿排出流路とを脱着する脱着手段を具備する方が好ましい。また、前記尿貯留部は複数の容器からなり、前記尿排出流路は、便器で受けた尿を流す主流路と、複数の前記容器へ尿を流す容器の数と同数の副流路と、前記主流路と前記副流路のいずれかとを切り替えて接続する切替手段と、からなる方が好ましい。また、前記収納部は、前記便器を巻き取る巻き取り手段を具備する方が好ましい。
【発明の効果】
【０００９】
本発明によれば、自動車等の座席上で使用するもので、形状を自由に変形することによって楽に用を足すことができる。また、何度も使用可能であると共に、小便の貯留部が使い捨て可能であるため衛生的である。
【発明を実施するための最良の形態】
【００１０】
上記目的を達成するために、本発明の簡易式トイレは、図１に示すように、自動車の車内で用いられる簡易式トイレ１であって、尿を受けるための便器２と、尿を貯留する尿貯留部３と、便器２内の尿を尿貯留部３に排出する尿排出流路４と、前記便器２を覆う蓋部６（図２参照）とで主に構成される。
【００１１】
便器２は、図２、図３に示すように、環状に形成された縁部２１と、縁部２１の底部に設けられた尿受け部２２と、で主に構成される。
【００１２】
縁部２１は、形状を自由に変形可能に形成されており、用を足すために楽な形状に容易に変更することができる。この縁部２１は、変形可能であればどのように形成しても良いが、例えば自在定規のように、金属等の芯２１ａと、これを被覆する樹脂２１ｂによって形成すればよい（図３参照）。
【００１３】
尿受け部２２は、縁部２１と共に有底筒状の便器２を形成するもので、例えばビニール等の樹脂からなるシート状に形成される。また、尿受け部２２には、尿受け部２２で受けた尿を、尿排出流路４を介して尿貯留部３に排出するための尿排出口２４が形成される。この場合、尿排出口２４は、複数形成しても良い。
【００１４】
尿貯留部３は、図５に示すように、有底筒状の容器３１と、この容器３１を尿受け口３２が容器３１の底部よりも上になるように固定する固定手段３３と、からなるもので、上部の尿受け口３２が尿排出流路４に接続されている。この貯留部３は、尿受け部２２から尿が流れる位置、すなわち、車内の座席の座部９３より低い位置であればどこに配置しても良く、例えば座部９３の下側の空間に配置すれば良い。また、容器３１としては、尿を貯留できるものであればどのようなものでも良いが、例えばペットボトル等を用いることができる。また、尿貯留部３は複数設けるようにしても良い。
【００１５】
尿排出流路４は、尿受け部２２の尿排出口２４と尿貯留部３の尿受け口３２を接続する管状に形成されるもので、例えばビニール製の樹脂によって形成されるチューブを用いることができる。この尿排出流路４は、尿を尿受け部２２から尿貯留部３に流すことができればどのように配設しても良いが、例えば、座席の背もたれ部９２と座部９３との間の隙間を通して座部９３の下に配設された尿貯留部３に接続すれば良い。なお、尿貯留部３を複数設ける場合には、尿排出口２４に接続される主流路４ａと、各尿貯留部３の尿受け口３２に接続される副流路４ｂを形成する。また、主流路４ａと副流路４ｂとの間には、主流路４ａと副流路４ｂとを接続すると共に、副流路４ｂの切り替えが可能な切替手段７を設ければ良い。これにより、尿貯留部３のいずれかが尿で満杯になった際には、切替手段７によって別の貯留部３へ切り替えることができる。また、尿排出流路４と便器２とを脱着する脱着手段（図示せず）を形成しても良い。
【００１６】
ここで、切替手段７は、主流路４ａと副流路４ｂとを接続すると共に、副流路４ｂの切り替えが可能であればどのようなものでも良いが、例えば、図４に示すように、主流路４ａに接続される主接続口７ａを有する主回転板７１と、副流路４ｂに接続される副流路４ｂの数と同数の副接続口７ｂを有する副回転板７２とを中央部の回動部（図示せず）によって回転可能に接続したものを用いれば良い。これにより、主回転板と副回転板を、回動部を中心に回転させて、副流路４ｂのいずれかと主流路４ａとを接続することができる。
【００１７】
蓋部６は、図２に示すように、少なくとも尿受け部２２の上部を覆うもので、例えばビニール等の樹脂からなるシート状に形成され、一部が尿受け部２２に固定される。これにより、便器２の使用時には、蓋部２３を便器２から開放しておき（図２の状態）、便器２の使用後には、自動車を降りることができる場所まで、一旦、便器２の上部を蓋部２３を用いて閉じておくことができる。なお、縁部２１と蓋部６との間を開閉する開閉手段、例えばファスナーを設けても良い。また、蓋部６を座布団や座席カバーのような外観に形成することも可能である。
【００１８】
また、簡易式トイレ１は、便器２を収納する便器収納部を設けるようにしても良い（図示せず）。便器収納部は、便器２および蓋部６を入出可能な収納口を有するポケット状に形成される。この便器収納部は、便器２および蓋部６を収納できるものであれば、どのような素材を用いても良く、例えば、布や樹脂等により形成される。また、便器収納部は、収納した便器が座席の背もたれに位置するように、座席のヘッドレストに紐やゴム等の吊持手段によって吊持される。
【００１９】
また、便器２は、吊持された便器収納部内に、尿排出口２４が上部側に位置するように収納される。そして、使用する際には、便器収納部５から便器２を引き出し、尿排出流路４と便器２とを脱着手段を用いて接続すれば良い。
【００２０】
また、便器収納部は、巻き尺のように便器２を巻き取る巻き取り手段を設けても良い。この場合、巻き取り手段は、ぜんまい等の弾性力を便器２に付勢し、便器２を巻き取るように形成することも可能である。この便器収納部は、背もたれと座席との間に配置することができる。
【図面の簡単な説明】
【００２１】
【図１】本発明の簡易式トイレを示す概略側面図である。
【図２】本発明の簡易式トイレを示す平面図である。
【図３】本発明の簡易式トイレを図２のＩ−Ｉ方向に見た断面図である。
【図４】切替手段を示す斜視図である。
【図５】尿貯留部を示す側面図である。
【符号の説明】
【００２２】
１  簡易トイレ
２  便器
３  尿貯留部
４  尿排出流路
【図１】
2008036144.tif 000003
【図２】
2008036144.tif 000004
【図３】
2008036144.tif 000005
【図４】
2008036144.tif 000006
【図５】
2008036144.tif 000007